(57)【要約】【課題】抗菌性に優れた衛生物品収納体を提供すること。【解決手段】衛生物品が収納された収納容器と、前記収納容器の外側を覆う外装とを有し、前記収納容器の少なくとも一部に抗菌剤が担持されており、前記抗菌剤は、水と反応してヒドロキシラジカルを生じさせる化合物を含有し、前記外装の内側が加湿状態となっている、衛生物品収納体。【選択図】図１
2018118770.tif 000002
【特許請求の範囲】
【請求項１】
衛生物品が収納された収納容器と、
前記収納容器の外側を覆う外装とを有し、
前記収納容器の少なくとも一部に抗菌剤が担持されており、
前記抗菌剤は、水と反応してヒドロキシラジカルを生じさせる化合物を含有し、
前記外装の内側が加湿状態となっている、衛生物品収納体。
【請求項２】
前記抗菌剤は、前記収納容器の少なくとも底面部の表面に担持されている、請求項１に記載の衛生物品収納体。
【請求項３】
前記抗菌剤は、前記収納容器の少なくとも天面部の表面に担持されている、請求項１に記載の衛生物品収納体。
【請求項４】
前記抗菌剤は、前記天面部の一部の裏面に担持されており、
前記抗菌剤が担持された前記天面部の一部の裏面が、さらにフィルムで覆われている、請求項３に記載の衛生物品収納体。
【請求項５】
前記抗菌剤は、前記収納容器の少なくとも側面部の表面に担持されている、請求項４に記載の衛生物品収納体。
【請求項６】
前記抗菌剤は、酸化カルシウム、酸化マグネシウム、及び二酸化マンガンのいずれか１種または２種以上の組み合わせを含有する、請求項１乃至５のいずれか１項に記載の衛生物品収納体。
【請求項７】
前記抗菌剤の担持量が、前記収納容器の表面に対して０．１〜１．５ｇ／ｍ２である、請求項１乃至６のいずれか１項に記載の衛生物品収納体。
【請求項８】
前記抗菌剤は、バインダーに添加された状態で前記収納容器に担持されている、請求項１乃至６のいずれか１項に記載の衛生物品収納体。
【請求項９】
少なくとも一部に抗菌剤が担持された収納容器内に衛生物品を収容する第１包装工程と、
衛生物品を収容した前記収納容器の外側を外装で覆う第２包装工程と、
前記抗菌剤は、水と反応してヒドロキシラジカルを生じさせる化合物を含有し、
前記第２包装工程の前に、前記収納容器に水蒸気を導入して前記収納容器を加湿する加湿工程とを有する、衛生物品収納体の製造方法。
【請求項１０】
前記加湿工程は、前記第１包装工程と前記第２包装工程の間に設けられ、前記収納容器の外側に水蒸気を導入して前記収納容器の外側を加湿する、請求項９に記載の衛生物品収納体の製造方法。
【請求項１１】
前記加湿工程は、前記第１包装工程の前に設けられ、前記収納容器内に水蒸気を導入して前記収納容器内を加湿する、請求項９に記載の衛生物品収納体の製造方法。
【請求項１２】
前記加湿工程は、
前記第１包装工程の前に設けられ前記収納容器内に水蒸気を導入して前記収納容器内を加湿する第１加湿工程と、
前記第１包装工程と前記第２包装工程の間に設けられ、前記収納容器の外側に水蒸気を導入して前記収納容器の外側を加湿する第２加湿工程とを有する、請求項９に記載の衛生物品収納体の製造方法。
【発明の詳細な説明】
【技術分野】
【０００１】
本発明は、衛生物品収納体及びその製造方法に関する。
【背景技術】
【０００２】
ティシューペーパー等の衛生物品は、カートン等の収納容器に収容された状態で流通する。近年、質感が柔らかく厚みが薄いティシューペーパーや、ローションティシューと呼ばれる水系の保湿成分を含んだティシューペーパー等の衛生物品の需要が高まっている。これらの衛生物品は、海外でも需要が増えており、国内の流通にとどまらず海外にも輸出されるため、高湿度の環境下で保管されたり、長期に渡って保管されたりすることがある。
【０００３】
このようにさまざまな保管状況に置かれた衛生物品は、カビや異臭が発生する場合がある。そのため、このような衛生物品は、抗菌処理が施された状態で、収納容器に収納されている。例えば、特許第３４０１５７１号公報（特許文献１）には、物品の表面に抗菌剤含有印刷インキ層を形成する技術が開示されている。
【先行技術文献】
【特許文献】
【０００４】
【特許文献１】特許第３４０１５７１号公報
【発明の概要】
【発明が解決しようとする課題】
【０００５】
しかしながら、従来の衛生物品収納体では、衛生物品を収容する収納容器が古紙等で再生されていることが多く、収納容器がカビや菌の発生源となっている。そのため、収納容器に収容された衛生物品にカビや異臭が発生し、また衛生物品に抗菌性を付与しても、衛生物品収納体の抗菌性としては不十分なものとなっていた。
【０００６】
本発明の目的は、抗菌性に優れた衛生物品収納体及びその製造方法を提供することにある。
【課題を解決するための手段】
【０００７】
上記課題を解決するため、本発明の第１の態様は、衛生物品が収納された収納容器と、収納容器の外側を覆う外装とを有し、収納容器の少なくとも一部に抗菌剤が担持されており、抗菌剤は、水と反応してヒドロキシラジカルを生じさせる化合物を含有し、外装の内側が加湿状態となっている、衛生物品収納体とする。
【０００８】
収納容器は、衛生物品が収容される容器である。収納容器の形態は特に限定されず、箱体、袋体等の形態を採用することができる。収納容器の形状は特に限定されず、直方体、円柱等の形状とすることができる。収納容器の材質は、特に限定されず、例えば、紙、樹脂等で形成することができる。
【０００９】
収納容器に収容される衛生物品は、特に限定されるものではなく、例えば、ティシューペーパー、トイレットペーパー、キッチンペーパー、ペーパータオル、ベビー用または介護用の紙おむつ、生理用ナプキン等の物品を例示することができる。また、衛生物品には、保湿成分を含んだ衛生物品（例えばローションティシュー）も含まれる。衛生物品の形態は、特に限定されず、積層状、ロール状等の形態である。さらに、収納容器に収容される衛生用品は、１つに限らず、複数であってもよい。
【００１０】
外装は、収納容器の外側を覆うフィルム（以下、外装フィルムという）等で形成されている。外装の材質は、限定されず、樹脂等のフィルム、紙等を樹脂等にラミネートしたフィルムで形成することができる。後述する水蒸気の密閉性を考慮すると、外装の材質は、水分透過性が低い樹脂（例えば、ポリエチエン、ポリプロピレン、ポリエチレンテレフタレート、塩化ビニリデン等）の単層フィルムまたはラミネートフィルムが好ましい。また、外装の方式は、特に限定されず、キャラメル包装、シュリンク包装等の方式を採用することができる。中でも、空気穴がない形状となるキャラメル方式が好ましい。
【００１１】
抗菌剤は、収納容器の少なくとも一部に担持されている。収納容器の少なくとも一部とは、例えば、収納容器が直方体の場合は、収納容器の天面部、底面部、側面部の各表面、裏面、両面の少なくともいずれかとすることができるが、抗菌剤を担持する場所は任意である。抗菌剤の担持とは、収納容器に付着されている状態を示す。
【００１２】
抗菌剤は、水と反応してヒドロキシラジカルを生じさせる化合物を含有する抗菌剤である。ヒドロキシラジカルは、抗菌性を発現することで知られている。抗菌剤は、水と反応してヒドロキシラジカルを生じさせる化合物を含有するものであれば、特に限定されず、例えば、酸化カルシウム、酸化マグネシウム、及び二酸化マンガンのいずれか１種または２種以上の組み合わせを例示することができる。
【００１３】
外装の内側は、加湿状態となっている。加湿状態とは、水蒸気（気体状の水）が存在することを意味する。外装の内側に存在する水蒸気は、大気中の水蒸気でもよいし、外部から積極的に導入された水蒸気でもよい。すなわち、外装の内側では、この水蒸気に含まれる水分が抗菌剤と反応してヒドロキシラジカルが発生する環境になっている。
【００１４】
第１の態様では、このように外装の内側で、収納容器の一部に担持した抗菌剤が水蒸気中の水と反応して生じたヒドロキシラジカルが存在する。すなわち、外装の内側では、収納容器及び収納容器に収納された衛生物品がヒドロキシラジカルに晒された状態となっている。そのため、衛生物品および該衛生物品が収容された収納容器のいずれにも抗菌性を付与することができるので、衛生物品収納体として抗菌性を発現することができる。
【００１５】
また、衛生物品収納体は、未使用時の外装に包装された状態では、ヒドロキシラジカルに晒された状態で外装によって外部環境から遮断されるため、衛生物品収納体がさまざまな保管状況に置かれても、長期にわたって衛生物品収納体の抗菌性を発現することができる。
【００１６】
また、衛生物品収納体は、使用時に外装が外された状態では、収納容器の一部に担持した抗菌剤が空気中の水分と反応してヒドロキシラジカルが生じ、衛生物品収納体の周辺がヒドロキシラジカルを含む雰囲気になる。そのため、衛生物品収納体は、外装が取り外された後も、抗菌性を発現することができる。このように、第１の態様によれば、抗菌性に優れた衛生物品収納体を提供することができる。
【００１７】
第２の態様では、抗菌剤が収納容器の少なくとも底面部の表面に担持されている。衛生物品収納体は、保管時に底面部を下にして重ねられることが多いため、衛生物品の底面部は湿気が溜り易い。そのため、収納容器の底面部に抗菌剤を担持させると、抗菌剤が水分と反応してヒドロキシラジカルが生じ易くなり、衛生用品収納体の抗菌性を高めることができる。
【００１８】
第３の態様では、抗菌剤が収納容器の少なくとも天面部の表面に担持されている。衛生物品収容体では、衛生物品の取出口が天面部に設けられていることが多く、また発生したヒドロキシラジカルは取出口から収納容器内に入り込み易い。そのため、収納容器の天面部に抗菌剤を担持することにより、衛生物品の取出口付近に抗菌剤を存在させることができるので、収納容器に収容された衛生物品に抗菌性を付与し易い。
【００１９】
第４の態様では、抗菌剤が天面部の一部の裏面に担持されており、抗菌剤が担持された天面部一部の裏面がさらに窓貼りフィルムで覆われている。抗菌剤が担持された天面部の一部の裏面を覆う窓貼りフィルムは、限定されず、外装の材質と同様に樹脂等のフィルム、紙等を樹脂等にラミネートしたフィルムで形成することができる。天面部の一部の裏面に抗菌剤を担持することにより、収納容器に収容された衛生物品に近い場所に抗菌剤を存在させることができるため、収納容器に収容された衛生用品の抗菌性を高めることができる。また、抗菌剤が担持された天面部の一部の裏面が窓貼りフィルムで覆われているため、抗菌剤が衛生用品に直接接触するのを防ぐことができる。
【００２０】
第５の態様では、抗菌剤が収納容器の少なくとも側面部の表面に担持されている。収納容器の側面部は、底面部のように重ねられることが少なく、衛生物品の取出口が設けられていることも少ないため、抗菌剤を担持する作業が容易である。
【００２１】
第６の態様では、抗菌剤として、酸化カルシウム、酸化マグネシウム、及び二酸化マンガンのいずれか１種または２種以上の組み合わせを含有する抗菌剤が用いられる。これらの化合物は、いずれも水と反応してヒドロキシラジカルを生じさせる化合物である。抗菌剤として、このような化合物を含有する抗菌剤を用いることにより、衛生用品収納体の抗菌性を確実に発現させることができる。
【００２２】
第７の態様では、抗菌剤の担持量が、収納容器の表面に対して０．１〜１．５ｇ／ｍ２になっている。抗菌剤の担持量をこのような範囲にすることにより、衛生用品収納体の抗菌性をより確実に発現させることができる。なお、抗菌剤の担持量が少なすぎると、衛生用品収納体に十分な抗菌性を付与することができない可能性がある。また、抗菌剤の担持量が多すぎると、ヒドロキシラジカルの発生量が多くなり、外装の内側で水素イオン濃度が高くなりすぎて、衛生用品に影響を与える可能性がある。
【００２３】
第８の態様では、抗菌剤がバインダーに添加された状態で、収納容器に担持されている。このように抗菌剤を添加することにより、抗菌剤を収納容器に確実に担持することができる。また、バインダーは、収納容器の印刷や表面仕上げの際に用いられることが多く、収納容器の製造時に抗菌剤を塗布することができる。
【００２４】
第９の態様は、少なくとも一部に抗菌剤が担持された収納容器内に衛生用品を収容する第１包装工程と、衛生用品を収容した収納容器の外側を外装で覆う第２包装工程とを有し、抗菌剤が水と反応してヒドロキシラジカルを生じさせる抗菌剤であり、第２包装工程の前に、収納容器に水蒸気を導入して収納容器を加湿する加湿工程をさらに有する、衛生用紙収納体の製造方法である。
【００２５】
第１包装工程では、収納容器内に衛生用品が収容される。衛生用品を収容する態様は、特に限定されないが、衛生用品の形態に応じて、種々の態様とすることができる。衛生用品を収容する収容容器は、収納容器の少なくとも一部に抗菌剤が付与されている。抗菌剤を付与する態様は特に限定されないが、上述のように抗菌剤をバインダーに添加した状態で収納容器に担持することにより、抗菌剤を収納容器に確実に担持することができる。また、収納容器の印刷時や製造時に抗菌剤を塗布することができるため、抗菌剤を塗布する作業が容易である。
【００２６】
第２包装工程では、衛生用紙を収容した収納容器の外側が外装で覆われる。収納容器を外装で覆う態様は特に限定されないが、キャラメル包装、シュリンク包装等の種々の包装方法を用いることができる。なお、外装内の密閉性を考慮すると、外装フィルムは空気穴がない形状が望ましいため、包装後に空気穴が形成されないキャラメル包装が好ましい。
【００２７】
抗菌剤には、上述のように水と反応してヒドロキシラジカルを生じさせる抗菌剤（例えば、酸化カルシウム、酸化マグネシウム、及び二酸化マンガンのいずれか１種または２種以上の組み合わせ等）を用いることができる。
【００２８】
加湿工程は、第２包装工程の前に設けられており、収納容器に水蒸気を導入して収納容器を加湿する工程である。加湿工程は、第２包装工程の前に設けられているため、衛生用紙を収容した収納容器の外側が外装で覆われる前に、外装内に水蒸気を閉じ込めることができる。また、加湿工程では、衛生用紙を収容した収納容器の外側が外装で覆われる前に、収納容器の周囲が水蒸気で加湿されるため、外装内に確実に水蒸気を閉じ込めることができる。
【００２９】
第１０の態様では、加湿工程が、第１包装工程と第２包装工程の間に設けられ、収納容器の外側に水蒸気が導入され収納容器の外側が加湿される。第１包装工程と第２包装工程の間に加湿工程を設けることにより、衛生用品が収納された収納容器の周囲及び内部を水蒸気で加湿した状態で外装することができるため、衛生用品と該衛生用品を収容した収納容器のいずれにも抗菌性を付与した状態で外装することができる。
【００３０】
第１１の態様では、加湿工程が、第１包装工程の前に設けられ、収納容器内に水蒸気が導入され収納容器内が加湿される。第１包装工程の前に加湿工程を設けることにより、収納容器内が加湿された状態で衛生用品が収納容器に収容されるため、衛生用品に保湿性が要求される場合（例えば保湿成分を含有するローションティシュー等）では、収納容器内の水蒸気が衛生用品の保湿性を維持させることができる。また、外装と収納容器の間の水蒸気が少ない場合（例えば、経年変化で水蒸気が外装から漏れた場合等）でも、収納容器内の水蒸気が抗菌剤と反応することができる。
【００３１】
第１２の態様では、加湿工程が、第１包装工程の前に設けられて、収納容器内に水蒸気を導入して収納容器内を加湿する第１加湿工程と、第１包装工程と第２包装工程の間に設けられて、収納容器の外側に水蒸気を導入して収納容器の外側を加湿する第２加湿工程とを有する。第１加湿工程は上述の第１１の態様における加湿工程と同じであり、第２加湿工程は、上述の第１０の態様における加湿工程と同じである。したがって、第１及び第２加湿工程を有する加湿工程を設けることにより、第１１及び第１０の態様と同じ効果が同時に得られる。
【発明の効果】
【００３２】
本発明の一態様によれば、抗菌性に優れた衛生物品収納体を提供することができる。
【図面の簡単な説明】
【００３３】
【図１】本発明の実施形態に係る衛生用品収納体を示す図である。
【図２】本実施形態に係る衛生用品収納体（第１実施形態）の収納容器の展開図である。
【図３】本実施形態に係る衛生用品収納体において水蒸気が密閉された状態を示す図である。
【図４】本実施形態に係る衛生用品収納体（第２実施形態）の収納容器の展開図である。
【図５】本実施形態に係る衛生用品収納体（第３実施形態）の収納容器の展開図である。
【図６】本実施形態に係る衛生用品収納体（第４実施形態）の収納容器の展開図である。
【図７】本発明の実施形態に係る衛生用品収納体の製造方法のフローチャートを示す図である。
【図８】本実施形態に係る衛生用品収納体の製造方法において、衛生用品を収納容器に収容する工程の概略図である。
【図９】本実施形態に係る衛生用品収納体の製造方法において、衛生用品を製造する工程を示す図である。
【図１０】（Ａ）は、本実施形態に係る衛生用品収納体の製造方法において、衛生用品（ティシューペーパー）を製造する工程を示す図であり、（Ｂ）は（Ａ）を上側から見た図である。
【図１１】本実施形態に係る衛生用品収納体の製造方法において、複数の個包装製品で構成された複数包装製品を包装する工程を示す図である。
【発明を実施するための形態】
【００３４】
以下、本発明の実施の形態について、図面を参照しながら詳細に説明する。
【００３５】
＜衛生物品収納体＞
まず、本発明の実施形態に係る衛生物品収納体について説明する。図１は、本発明の実施形態の一例（第１実施形態）に係る衛生用品収納体を示す図である。図２は、第１実施形態に係る衛生用品収納体の収納容器の展開図である。図３は、本実施形態に係る衛生用品収納体において水蒸気が密閉された状態を示す図である。なお、以下に示す説明では、各図において共通する部分については、同一の符号を付して説明を省略する場合がある。
【００３６】
図１に示すように、ボックスティシュー１００は、カートン１０、外装フィルム３０を備えている。カートン１０は、コートボール紙等で構成された紙製で直方体の箱体である。カートン１０には、衛生物品として複数枚積層されたティシューペーパー２０が収容されている。
【００３７】
本実施形態に係るティシューペーパー２０のプライ数は、２プライであり、その１プライ当たりの坪量は１０〜２０ｇ／ｍ２、より好ましくは１４．０〜１８．０ｇ／ｍ２である。また、紙厚は２プライで１３０〜２００μｍであり、より好ましくは１４５〜１７５μｍである。このような範囲の坪量と紙厚にすることにより、ローションティシューとしての柔らかさを維持しながら十分な強度が得られる。
【００３８】
坪量は、ＪＩＳ  Ｐ  ８１２４（１９９８）に基づいて測定した値を意味し、紙厚は、試験片をＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて測定した値を意味する。
【００３９】
紙厚を測定する具体的な手順は、プランジャーと測定台の間にゴミ、チリ等がないことを確認してプランジャーを測定台の上におろし、ダイヤルシックネスゲージのメモリを移動させてゼロ点を合わせ、次いで、プランジャーを上げて試料を試験台の上におき、プランジャーをゆっくりと下ろし、そのときのゲージを読み取る。このとき、プランジャーをのせるだけとする。プランジャーの端子は金属製で、直径１０ｍｍの円形の平面が紙平面に対し垂直に当たるようにする。また、紙厚測定時の荷重は、約７０ｇｆである。測定を１０回行って得られる平均値とする。
【００４０】
また、ティシューペーパー２０は、そのパルプ繊維が、ＮＢＫＰ（針葉樹クラフトパルプ）とＬＢＫＰ（広葉樹クラフトパルプ）とを配合した一般的なものとすることができる。特に、パルプ繊維が、ＮＢＫＰとＬＢＫＰのみから構成されているのが好ましい。その配合割合は、ＮＢＫＰ：ＬＢＫＰ＝２０：８０〜８０：２０がよく、特に、ＮＢＫＰ：ＬＢＫＰ＝３０：７０〜６０：４０が好ましい。
【００４１】
このティシューペーパー２０は、吸湿性によって紙中に水分を取り込み、水分率を上昇させる作用を有するポリオールを主成分とする水系の保湿成分を含有するローションティシューで構成されている。本発明に係るポリオールとしては、グリセリン、ジグリセリン、プロピレングリコール、１，３−ブチレングリコール、ポリエチレングリコール、ソルビトール、グルコース、キシリトール、マルトース、マルチトール、マンニトール、トレハロースが挙げられ、これらを一種又は複数を用いることができる。なかでも、グリセリン、ジグリセリンが好ましい。
【００４２】
なお、ボックスティシュー１００は、本発明の衛生用品収納体の一例であり、カートン１０、ティシューペーパー２０、外装フィルム３０は、本発明の衛生用品収納体を構成する収納容器、衛生用品、外装の一例である。
【００４３】
カートン１０の外側は外装フィルム３０に覆われている。外装フィルム３０は、水分透過性が低い樹脂（例えば、ポリエチエン、ポリプロピレン、ポリエチレンテレフタレート、塩化ビニリデン等の単層フィルムまたはラミネートフィルム）で形成されている。外装フィルム３０は、包装後に空気穴が形成されないキャラメル包装で包装されている。
【００４４】
第１実施形態では、図２に示すように、カートン１０の底面部１２の表面１２ａ（カートン１０の外側の表面）に抗菌剤４０が塗布されている。抗菌剤４０は、水と反応してヒドロキシラジカルを生じさせる化合物を含有する抗菌剤である。本実施形態では、水と反応してヒドロキシラジカルを生じさせる化合物として、酸化カルシウム、酸化マグネシウム、及び二酸化マンガンのいずれか１種または２種以上の組み合わせを含有する抗菌剤を用いることができる。中でも、酸化カルシウムが好ましい。また、酸化カルシウムには、一般的な石灰石を焼いて焼成した生石灰や貝殻を焼成した天然由来の酸化カルシウム等があり、毒性、印刷劣化等の観点から、天然由来の酸化カルシウムがより好ましい。抗菌剤として、これらの化合物を含有する抗菌剤を用いることにより、衛生用品収納体の抗菌性を確実に発現させることができる。
【００４５】
また、抗菌剤４０はバインダーに添加された状態で、カートン１０に担持されている。このような状態で抗菌剤４０を添加することにより、抗菌剤４０をカートン１０に確実に担持することができる。また、バインダーとしては、例えばカートン１０の印刷には糊が用いられ、カートン１０の表面仕上げにはＯＰニスやＵＶニスを用いることができる。そのため、バインダーに添加された状態で抗菌剤４０をカートン１０に担持させることにより、カートン１０の製造工程内でカートン１０に抗菌剤４０を塗布することができるため、抗菌剤４０の担持が容易になる。
【００４６】
また、カートン１０に担持される抗菌剤４０の担持量（バインダーに添加する場合の抗菌剤４０の添加量）は、カートン１０の表面に対して０．１〜１．５ｇ／ｍ２となっている。抗菌剤４０の担持量（または添加量）をこのような範囲にすることで、ボックスティシュー１００の抗菌性をより確実に発現させることができる。なお、抗菌剤４０の担持量が少なすぎると、ボックスティシュー１００に十分な抗菌性を付与することができない可能性がある。また、抗菌剤の担持量が多すぎると、ヒドロキシラジカルの発生量が多くなり、外装フィルム３０の内側で水素イオン濃度が高くなりすぎて、ティシューペーパー２０に影響を与える可能性がある。
【００４７】
外装フィルム３０の内側は、図３に示すように、水蒸気ＷＶで加湿され、水蒸気ＷＶで満たされている。すなわち、外装フィルム３０の内側に水蒸気ＷＶが導入され、外装フィルム３０の内側は、水蒸気ＷＶに含まれる水分が抗菌剤４０と反応してヒドロキシラジカルが発生する環境になっている。
【００４８】
第１実施形態では、外装フィルム３０の内側で、カートン１０の一部である底面部１２の表面１２ａに担持された抗菌剤４０が水蒸気ＷＶ中の水と反応して生じたヒドロキシラジカル４１が存在する。すなわち、外装フィルム３０の内側では、カートン１０の底面部１２の表面１２ａからヒドロキシラジカル４１が発生し、外装フィルム３０により包装の内側が密閉された空間となるため、ヒドロキシラジカル４１が充満した状態となる。そのため、カートン１０及びカートン１０に収納されたティシューペーパー２０がヒドロキシラジカル４１に晒された状態となっている（図３参照）。そのため、カートン１０及びカートン１０内に収容されたティシューペーパー２０のいずれにも抗菌性を付与することができるので、ボックスティシュー１００として抗菌性を発現することができる。
【００４９】
また、ボックスティシュー１００は、未使用時の外装フィルム３０に包装された状態では、ヒドロキシラジカルに晒された状態で外装フィルム３０によって外部環境から遮断されるため、ボックスティシュー１００がさまざまな保管状況で、長期にわたってボックスティシュー１００の抗菌性を発現することができる。
【００５０】
また、ボックスティシュー１００は、使用時に外装フィルム３０が取り外された後は、カートン１０の底面部１２に担持した抗菌剤４０が空気中の水分やユーザの手からの水分と反応してヒドロキシラジカルが生じるため、ボックスティシュー１００の表面または表面近傍はヒドロキシラジカルを含む雰囲気になる。そのため、ボックスティシュー１００は、外装フィルム３０が取り外された後も、抗菌性を発現することができ、ローションティシューの場合、保湿成分が空気中の水分を吸湿する性質があるため、よりヒドロキシラジカルを生じさせやすい。
【００５１】
また、第１実施形態では、抗菌剤４０がカートン１０の底面部１２の表面１２ａに担持されている。ボックスティシュー１００は、保管時に底面部１２を下にして上下に重ねられることが多いため、衛生物品の底面部１２は湿気が溜り易くなる。そのため、この例のようにカートン１０の底面部１２の表面１２ａに抗菌剤４０を担持させることで、抗菌剤４０が水分と反応してヒドロキシラジカルが生じ易くなり、ボックスティシュー１００に確実に抗菌性を付与することができる。
【００５２】
第２実施形態では、図４に示すように、抗菌剤４０がカートン１０の天面部１１の表面１１ａ（カートン１０の外側の表面）に担持されている。ボックスティシュー１００は、ティシューペーパー２０の取出口１８が天面部１１に設けられていることが多く、また発生したヒドロキシラジカルは取出口１８から収納容器内に入り込み易い。この例では、未使用時は取出口１８がミシン目１８ａで囲まれ、ヒドロキシラジカルはこのミシン目１８ａのスリットからカートン１０内に入り込む。また使用時はミシン目１８ａが取り除かれて取出口１８が開口し、ヒドロキシラジカルは開口した取出口１８からカートン１０内に入り込むことができる。
【００５３】
第２実施形態では、カートン１０の天面部１１に抗菌剤４０が担持されているため、ティシューペーパー２０の取出口１８付近に抗菌剤４０を存在させることができるので、ティシューペーパー２０に抗菌性を付与し易い。
【００５４】
第３実施形態では、抗菌剤４０がカートン１０の側面部１３〜１６の表面１３ａ〜１６ａに担持されている。カートン１０の側面部１３〜１６は、底面部１２のようにティシューペーパー２０が収容されたカートン１０が上下に重ねられることが少なく、ティシューペーパー２０の取出口１８が設けられていることも少ない。そのため、カートン１０の表面１３ａ〜１６ａに抗菌剤４０を担持することで、カートン１０に抗菌剤４０を担持する作業が容易になる。
【００５５】
第４実施形態では、抗菌剤４０がカートン１０の天面部１１の一部（取出口１８部分）の裏面（カートン１０の内側の裏面）に担持されている。そして、抗菌剤４０が担持された取出口１８部分の裏面がさらに窓貼りフィルムＦで覆われている。抗菌剤４０が担持された取出口１８部分の裏面を覆う窓貼りフィルムＦは、ポリエチレン等の樹脂フィルムで形成されている。天面部１１の一部の裏面に抗菌剤４０を担持することで、カートン１０に収容されたティシューペーパー２０に近い場所に抗菌剤４０を存在させることができる。そのため、ティシューペーパー２０の抗菌性を高めることができる。また、抗菌剤４０が担持された天面部１１の一部の裏面がフィルムで覆われているため、抗菌剤４０がティシューペーパー２０に直接接触するのを防ぐことができる。窓貼りフィルムＦは、本発明の衛生用品収納体におけるフィルムの一例である。
【００５６】
＜衛生物品収納体の製造方法＞
次に、本発明の実施形態に係る衛生物品収納体の製造方法について説明する。図７は、本実施形態に係る衛生用品収納体の製造方法の工程を示すフローチャートである。図８〜図１１は、本実施形態の衛生用品収納体の製造方法の工程図である。
【００５７】
図７に示すように、本実施形態の衛生物品収納体の製造方法は、抗菌剤塗布工程ＳＴ１、組立工程ＳＴ２、内部加湿工程ＳＴ３、ウエブ収容工程ＳＴ４、外部加湿工程ＳＴ５、及び外装工程ＳＴ６を有する。
【００５８】
抗菌剤塗布工程ＳＴ１では、カートン１０の一部に抗菌剤４０が付与される。具体的には、抗菌剤４０は、バインダーに添加した状態で、バインダーをカートン１０に塗布することにより抗菌剤４０がカートン１０に担持される。抗菌剤４０には、上述のように水と反応してヒドロキシラジカルを生じさせる抗菌剤（例えば、酸化カルシウム、酸化マグネシウム、及び二酸化マンガンのいずれか１種または２種以上の組み合わせ等）が用いられる。また、バインダーに添加する場合の抗菌剤４０の添加量は、カートン１０の表面に対して０．１〜１．５ｇ／ｍ２となっている。なお、抗菌剤塗布工程ＳＴ１は、カートン１０の印刷時や製造時に実施してもよい。
【００５９】
組立工程ＳＴ２では、図８に示すように、カートン１０が、組立または成型される。カートン１０には抗菌剤塗布工程ＳＴ１で抗菌剤４０が予め塗布されている。また、抗菌剤４０が塗布されたカートン１０は、側面部１５を開口するように組立または成型される。
【００６０】
内部加湿工程ＳＴ３では、組立工程ＳＴ２で組立または成型されたカートン１０内に、水蒸気ＷＶが導入される。カートン１０内に導入される水蒸気ＷＶは、図示しないスチームにより、開口する側面部１５からカートン１０内に噴霧される。なお、内部加湿工程ＳＴ３は、本発明に係る衛生物品収納体の製造方法における加湿工程（第１加湿工程）の一例である。
【００６１】
ウエブ収容工程ＳＴ４では、カートン１０内に、ティシューペーパー２０（ウエブ）が収容される。ティシューペーパー２０（ウエブ７０）は、次のように作製する。まず、図９に示すように、ロータリー式の折り機（インターフォルダー）ＩＦ１、ＩＦ２に捲回された原反（６１、６２）を交互に折り重ね、搬送方向ＴＤに搬送し、裁断機ＣＭ１で裁断されて、バンドル６０にする。本実施形態では、ロータリー式のインターフォルダーを用いたが、折り機の方式は限定されず、スタンド式のインターフォルダーを用いてもよい。折り機各バンドル６０は、コンベアＴＢに載置され、搬送方向ＴＤに搬送される。次に、各バンドル６０は、図１０（Ａ）及び（Ｂ）に示すように、裁断機ＣＭ２で規定寸法に裁断され、個小分けされた複数のウエブ７０（ウエブ７１〜７６）となる。また、ウエブ７０は、作製前または作製後に保湿成分を含ませてローションティシューとすることが望ましい。そして、得られた各ウエブ７０を、図８に示すように、加湿されたカートン１０内に挿入し、カートン１０の側面部１５を閉封して、個包装製品８０とする。得られた複数の個包装製品８０（個包装製品８１〜８３）は、重ねて複数包装製品９０にまとめる（図１１参照）。なお、ウエブ収容工程ＳＴ４は、本発明に係る衛生物品収納体の製造方法における第１包装工程の一例である。
【００６２】
外部加湿工程ＳＴ５では、ウエブ７０が収容されたカートン１０の外側に水蒸気ＷＶを導入（噴霧）し、複数包装製品９０（重ねた３つの個包装製品８０）を加湿する。水蒸気ＷＶは、図示しないスチームにより、複数包装製品９０に噴霧される。なお、外部加湿工程ＳＴ５は、本発明に係る衛生物品収納体の製造方法における加湿工程（第２加湿工程）の一例である。
【００６３】
外装工程ＳＴ６では、複数包装製品９０を外装フィルム３０で覆う。加湿された複数包装製品９０は、包装機ＰＭに搬送され、包装機ＰＭ内で、複数包装製品９０の外側が外装フィルム３０で覆われる。複数包装製品９０は、包装後に空気穴が形成されないキャラメル包装で覆われる。このように複数包装製品９０を外装フィルム３０で覆うことにより、ボックスティシュー１００して得られたものは、なお、外装工程ＳＴ６は、本発明に係る衛生物品収納体の製造方法における第２包装工程の一例である。
【００６４】
本実施形態に係る衛生用品収納体の製造方法では、ウエブ収容工程ＳＴ４と外装工程ＳＴ６の間で外部加湿工程ＳＴ５が実行されることで、ティシューペーパー２０が収納されたカートン１０（個包装製品８０または複数包装製品９０）の周囲及び内部を水蒸気で加湿した状態で外装することができる。そのため、ティシューペーパー２０とこのティシューペーパー２０を収容したカートン１０のいずれも抗菌性を付与した状態で外装することができる。また、カートン１０内にも水蒸気ＷＶが導入されるため、カートン１０内に収容されたティシューペーパー２０に保湿性を付与することができる。特に、ティシューペーパー２０が保湿成分を含有するローションティシューの場合に、カートン１０内の水蒸気ＷＶによってティシューペーパー２０の保湿性が向上するため、望ましい。
【００６５】
また、本実施形態に係る衛生用品収納体の製造方法では、組み立て工程ＳＴ２とウエブ収容工程ＳＴ４の間で内部加湿工程ＳＴ３が実行されることで、カートン１０内が加湿された状態でティシューペーパー２０がカートン１０に収容される。そのため、カートン１０内の水蒸気ＷＶによってティシューペーパー２０に保湿性を付与することができる。また、ティシューペーパー２０が保湿成分を含有するローションティシューの場合でも、カートン１０内の水蒸気ＷＶによってティシューペーパー２０の保湿性が維持される。
【００６６】
また、外装フィルム３０とカートン１０の間の水蒸気が少ない場合（例えば、外装工程ＳＴ６で噴霧される水蒸気ＷＶが少ない場合、経年変化で水蒸気ＷＶが外装フィルム３０から漏れた場合等）でも、カートン１０内の水蒸気ＷＶによって抗菌剤４０と反応することができ、また、ローションティシューは保湿成分が水をよびこむため、より効率的に効果を発現することができる。
【実施例】
【００６７】
以下、本発明の実施形態について、実施例と比較例を参照しながら説明する。各実施例及び比較例については、下記の試験方法により測定及び評価した。
【００６８】
［ｐＨ試験］
カートン１０の底面部１２の表面１２ａに各バインダーに添加または塗布した抗菌剤（酸化カルシウム）を担持させ、これに水をスプレーで噴霧し、噴霧後のカートン１０の表面のｐＨを測定した。ｐＨの測定は、カートン１０の表面にｐＨ試験紙（ＭＡＣＨＥＲＥＹ−ＮＡＧＥＬ社製のｐＨ−Ｆｉｘ０−１４）をあて、ｐＨ試験紙の変色を確認した。ｐＨがアルカリ性に傾けばＣａＯ＋Ｈ２Ｏ→Ｃａ（ＯＨ）２のように反応し、水酸化物イオンが生じていると判断され、この溶解時にヒドロキシラジカルが発生したものと判断する。
【００６９】
［強制劣化試験］
上述のｐＨ試験でカートン１０の底面部１２の表面１２ａのｐＨを確認した後、強制劣化試験を行った。強制劣化試験は、ヒートショック試験機（エスペック株式会社製、ＰＲ−４ＫＰ）を用い、カートン１０を温度６０℃、湿度９０％の条件で７２時間、試験機内に放置した後に、カートン１０を試験機から取り出して１時間常温にて静置し、カートン１０の底面部１２の表面１２ａに印刷されたインキの劣化（滲み、変色等）の有無を目視で確認した。評価基準は、カートン１０の印刷にインキの滲み、退色、変色等の変化がなかった場合は○、インキの滲み、退色、変色等の変化があった場合は×とした。
【００７０】
［抗菌性試験］
上述の強制劣化試験で印刷劣化の有無を確認した後、抗菌性試験を行った。抗菌性試験は、ＪＩＳ  Ｚ２８０１（２０１０）に基づいて、カートン１０表面における抗菌効果を確認した。評価基準は、カートン１０表面に黄色ブドウ球菌、大腸菌を付与し、２４時間後の菌数から抗菌活性値（対数値）を確認し、抗菌活性値が２．０以上得られた場合は○、２．０以下であった場合は×とした。
［実施例１］
実施例１として、図２に示すカートン１０を用意した。カートン１０には、紙製の箱（材質：コートボール紙、原紙坪量：４００ｇ／ｍ２、成形後寸法：幅２４３ｍｍ  奥行１１０ｍｍ  高さ７５ｍｍ）を用いた。抗菌剤４０には、貝殻を焼成した天然由来の酸化カルシウムの粉末（ふるさと物産社製、ほたて貝殻焼成パウダー０２）を用いた。抗菌剤４０をバインダー（糊：住友スリーエム株式会社製、３Ｍデザインボンド レギュラー）に添加し、カートン１０の底面部１２の表面１２ａに抗菌剤４０を添加した糊を塗布した（図６参照）。抗菌剤４０の担持量は、底面部１２に１５ｍｇ（０．５６ｇ／ｍ２）担持されるように調整した。これに、水蒸気ＷＶを噴霧後、ｐＨ試験、強制劣化試験、抗菌性試験を行った。表１に測定及び評価した結果を示す。
［実施例２］
実施例２では、糊を用いる代わりに、抗菌剤４０を両面テープ（ニチバン株式会社製、ナイスタックＮＷＢＢ−１５）の一方の面に１０ｍｇ（０．３７ｇ／ｍ２）担持させ、両面テープの他方の面をカートン１０の底面部１２の表面１２ａに貼り付けた以外は、実施例１と同様にカートン１０を用意し、各試験を行った。表１に測定及び評価した結果を示す。
［比較例１］
比較例１では、抗菌剤４０を用いない以外は、実施例１と同様にカートン１０を用意し、各試験を行った。表１に測定及び評価した結果を示す。
［比較例２］
比較例２として、バインダーを用いずに抗菌剤４０の水溶液をカートン１０の底面部１２の表面１２ａに塗布した以外は、実施例１と同様にカートン１０を用意し、各試験を行った。表１に測定及び評価した結果を示す。
【００７１】
【表１】
2018118770.tif 000003
表１より、バインダーにより表面に抗菌剤４０が塗布されたカートン１０では、ｐＨが１１〜１２の範囲となり、印刷劣化は無く、抗菌活性値が実施例１は６．０、実施例２は３．７となり、いずれも抗菌効果を確認した（実施例１、２）。一方、表面に抗菌剤４０が存在しない、または抗菌剤４０の水溶液として塗布されたカートン１０では、ｐＨが７となり、印刷劣化は無く、抗菌活性値が比較例１では０．２、比較例２では１．２であり、いずれも２．０以下となり、抗菌効果を確認できなかった（比較例１、２）。
【００７２】
これらの結果から、カートン１０の表面に所定量の抗菌剤４０を担持することにより、担持された抗菌剤４０が水と反応してヒドロキシラジカルを生じ、カートン１０の表面部に抗菌効果が得られることが判った。
【００７３】
したがって、抗菌剤４０を担持したカートン１０にティシューペーパー２０を収容し、カートン１０に水蒸気ＷＶを噴霧して、外装フィルム３０で覆うことにより、カートンインクの劣化を抑制しつつ、抗菌性が付与されたボックスティシュー１００を得ることができる。
【００７４】
以上、本発明の実施形態について説明したが、本発明は特定の実施形態に限定されるものではなく、特許請求の範囲に記載された発明の範囲内において、種々の変形、変更が可能である。
【符号の説明】
【００７５】
１００  ボックスティシュー
１０  カートン
１１  天面部
１１ａ  表面
１２  底面部
１２ａ  表面
１３〜１６  側面部
１３ａ〜１６ａ  表面
１８  取出口
１８ａ  ミシン目
Ｆ  窓貼りフィルム
２０  ティシューペーパー
３０  外装フィルム
４０  抗菌剤
４１  ヒドロキシラジカル
７０〜７６  ウエブ
８０  個包装製品
９０  複数包装製品
【図１】
2018118770.tif 000004
【図２】
2018118770.tif 000005
【図３】
2018118770.tif 000006
【図４】
2018118770.tif 000007
【図５】
2018118770.tif 000008
【図６】
2018118770.tif 000009
【図７】
2018118770.tif 000010
【図８】
2018118770.tif 000011
【図９】
2018118770.tif 000012
【図１０】
2018118770.tif 000013
【図１１】
2018118770.tif 000014